(57)【要約】【課題】ユーザーがチャンネル再スキャンしなかった場合に、ユーザーがもう一度メールを確認しなくてもチャンネル再スキャンを促すことができるデジタル放送受信装置を提供することを目的とする。【解決手段】デジタル放送受信装置にてリパッキング情報を取得した後、デジタル放送視聴時以外に放送のチャンネルをスキャンする機能により、リパッキングが行われた場合にユーザーにチャンネル再スキャンを促すメール通知を行い、チャンネル再スキャンを実行したか否かを判別し、チャンネル再スキャンが実行されていない場合には、前記通知方法以外の方法でチャンネル再スキャンが実行されるまで繰り返し通知を行う。【選択図】図３
2007300567.tif 000002
【特許請求の範囲】
【請求項１】
リパッキング情報取得後１回目のリモコン電源オフの場合に、リパッキング情報が記録されているときにのみ、デジタル放送視聴時以外にチャンネルスキャンを実行してチャンネル情報を取得し、前記スキャン結果と既取得情報とが異なっているときにのみ、リパッキング情報通知を記録し電源オフするリパッキング情報通知記録手段と、
リパッキング情報取得後１回目の電源オンの場合に、リパッキング情報が記録されており、かつリパッキング情報通知が記録されていたときにのみ、チャンネル再スキャン促進メール表示を行い、リパッキング情報通知を削除し、チャンネル再スキャンが実行された場合はリパッキング情報を削除し、チャンネル再スキャンが実行されていない場合はチャンネル再スキャン未実行を記録した後に通常起動する第１のチャンネル再スキャン実行チェック手段と、
リパッキング情報取得後２回目以降の電源オンの場合に、リパッキング情報が記録されており、かつチャンネル再スキャン未実行情報が記録されているときにのみ前記チャンネル再スキャン促進メール表示とは異なるチャンネル再スキャン促進通知を行い、チャンネル再スキャンが実行された場合はチャンネル再スキャン未実行記録を削除し、リパッキング情報を削除した後に通常起動する第２のチャンネル再スキャン実行チェック手段と、
を有するデジタル放送受信装置。
【発明の詳細な説明】
【技術分野】
【０００１】
本発明は、デジタル放送に用いる受信装置に関するものである。
【背景技術】
【０００２】
地上デジタル放送では、全周波数をスキャンして受信可能なチャンネルのネットワーク情報を取得し、受信可能なチャンネルのリストを記録する。この既に登録されたチャンネルの周波数が変わるなど、ネットワーク情報が変わる場合（リパッキング）にはリパッキング情報が通知され、受信装置はそれを受けてリパッキングが行われることを記録する（例えば特許文献１参照。）。実際に、受信しているネットワークにてリパッキングが行われた場合には、受信機内蔵のメール機能にてユーザーに通知する。
【特許文献１】特開２００５−７３２３８号公報
【発明の開示】
【発明が解決しようとする課題】
【０００３】
しかしながら上記の従来の構成では、リパッキング情報を通知するデジタル放送受信装置のメール機能では、一度ユーザーが読んでしまうと再度メールによる通知は行わないため、チャンネル再スキャンを促すメールを読んだ時にユーザーがチャンネル再スキャンしなかった場合には、ユーザー自身がもう一度メールを確認しない限りチャンネル再スキャンを促すことができないという問題点を有していた。
【０００４】
本発明は上記従来の問題点を解決するもので、ユーザーがチャンネル再スキャンしなかった場合に、ユーザーがもう一度メールを確認しなくてもチャンネル再スキャンを促すことができるデジタル放送受信装置を提供することを目的とする。
【課題を解決するための手段】
【０００５】
この目的を達成するために本発明のデジタル放送受信装置は、リパッキング情報取得後１回目のリモコン電源オフの場合に、リパッキング情報が記録されているときにのみ、デジタル放送視聴時以外にチャンネルスキャンを実行してチャンネル情報を取得し、前記スキャン結果と既取得情報とが異なっているときにのみ、リパッキング情報通知を記録し電源オフするリパッキング情報通知記録手段と、リパッキング情報取得後１回目の電源オンの場合に、リパッキング情報が記録されており、かつリパッキング情報通知が記録されていたときにのみ、チャンネル再スキャン促進メール表示を行い、リパッキング情報通知を削除し、チャンネル再スキャンが実行された場合はリパッキング情報を削除し、チャンネル再スキャンが実行されていない場合はチャンネル再スキャン未実行を記録した後に通常起動する第１のチャンネル再スキャン実行チェック手段と、リパッキング情報取得後２回目以降の電源オンの場合に、リパッキング情報が記録されており、かつチャンネル再スキャン未実行情報が記録されているときにのみ前記チャンネル再スキャン促進メール表示とは異なるチャンネル再スキャン促進通知を行い、チャンネル再スキャンが実行された場合はチャンネル再スキャン未実行記録を削除し、リパッキング情報を削除した後に通常起動する第２のチャンネル再スキャン実行チェック手段と、を備えた構成を有している。
【発明の効果】
【０００６】
以上のように本発明は、ユーザーがチャンネル再スキャンしなかった場合に、ユーザーがもう一度メールを確認しなくてもチャンネル再スキャンを促すことができるという優れた効果が得られる。
【発明を実施するための最良の形態】
【０００７】
（実施の形態１）
図１は本発明の実施の形態１におけるデジタル放送受信装置のリパッキング情報取得後１回目のリモコン電源オフの場合の動作を示すフローチャートである。デジタル放送受信装置の構成はデジタルチューナ、ＣＰＵ、メモリから成り、ＣＰＵは下記動作を実行するものである。ステップＳ１でリパッキング情報取得を取得し、ステップＳ２でリモコンオフした場合にステップＳ３でリパッキング情報が記録されていれば、ステップＳ４でチャンネルスキャンを実行し、ステップＳ５でチャンネル情報を取得し、ステップＳ６でスキャン結果と既取得情報が合っているかを確認し、異なっている場合には、ステップＳ７でリパッキング情報通知を記録し、ステップＳ８で電源オフする。
【０００８】
図２は本発明の実施の形態１におけるデジタル放送受信装置のリパッキング情報取得後１回目の電源オンの場合の動作を示すフローチャートである。電源を入れた場合(ステップＳ９)に、ステップＳ１０でリパッキング情報があるかを確認し、リパッキング情報が存在した場合には、ステップＳ１１でリパッキング情報通知が記録されているかを確認し、リパッキング情報通知が記録されていた場合には、ステップＳ１２にてユーザーにチャンネルスキャン促進メール表示を行い、ステップＳ１３にてリパッキング情報通知を削除、ステップＳ１４でチャンネル再スキャンが実行されたかを確認し、チャンネル再スキャンが実行された場合はステップＳ１７にてリパッキング情報を削除し、チャンネル再スキャンが実行されていない場合はステップＳ１５にてチャンネル再スキャン未実行を記録し通常起動(ステップＳ１６)する。
【０００９】
図３は本発明の実施の形態１におけるデジタル放送受信装置のリパッキング情報取得後２回目以降の電源オンの場合の動作を示すフローチャートである。２回目以降の電源オン(ステップＳ１８)後に、ステップＳ１９でリパッキング情報があるかを確認し、リパッキング情報が存在した場合にはステップＳ２０にてチャンネル再スキャン未実行情報が記録されているかを確認し、チャンネル再スキャン未実行情報が記録されている場合はステップＳ２１にてユーザーにチャンネルスキャン促進メール表示とは別の方法にてチャンネルスキャン促進通知を行い、ステップＳ２２にてチャンネル再スキャンが実行されたかを確認し、チャンネル再スキャンが実行された場合はステップＳ２３にてチャンネル再スキャン未実行記録を削除し、ステップＳ２４にてリパッキング情報を削除し通常起動(ステップＳ２５)する。チャンネル再スキャンが行われない場合には、ステップＳ１８からステップＳ２２が繰り返し実行される。
【産業上の利用可能性】
【００１０】
本発明のデジタル放送受信装置は、ユーザーがチャンネル再スキャンしなかった場合に、ユーザーがもう一度メールを確認しなくてもチャンネル再スキャンを促すことができるという優れた効果を有しているため、デジタル放送受信装置等において有用である。
【図面の簡単な説明】
【００１１】
【図１】本発明の実施の形態１におけるデジタル放送受信装置のリパッキング情報取得後１回目のリモコン電源オフの場合の動作を示すフローチャート
【図２】本発明の実施の形態１におけるデジタル放送受信装置のリパッキング情報取得後１回目の電源オンの場合の動作を示すフローチャート
【図３】本発明の実施の形態１におけるデジタル放送受信装置のリパッキング情報取得後２回目以降の電源オンの場合の動作を示すフローチャート
【符号の説明】
【００１２】
Ｓ１８    リパッキング情報取得後２回目以降の電源オンのステップ
Ｓ１９    リパッキング情報があるかの確認のステップ
Ｓ２０    チャンネル再スキャン未実行情報が記録されているかの確認のステップ
Ｓ２１    チャンネルスキャン促進メール表示とは異なる方法によるチャンネルスキャン促進通知のステップ
Ｓ２２    チャンネル再スキャンが実行されたかの確認のステップ
Ｓ２３    チャンネル再スキャン未実行記録削除のステップ
Ｓ２４    リパッキング情報削除のステップ
Ｓ２５    通常起動のステップ
【図１】
2007300567.tif 000003
【図２】
2007300567.tif 000004
【図３】
2007300567.tif 000005